(57)【要約】【課題】室の入口の袖部などに室名を安定的に、格調高く表示でき、しかも入居者の変更に伴う表札の差し替えが簡易にできる室名表示装置を提供する。【解決手段】本願装置１は、被取付面３に取り付けた取付板１３に固着するための基板５と、該基板５に扁平空間９を作るためのスペーサー６を介して対設した透視窓７ａを有する表板７とからなる本体８に、該本体８内に挿脱自在に挿入した表札１０を前記表板７側へ押し付けるための押圧手段１１を設けてなり、室の入口の袖部などに室名を格調高く安定的に表示でき、しかも入居者の変更或いは表示内容の変更等のための交換が簡易にできるとともに表札内容を明瞭に表示させることができるものである。【選択図】図２
2006309085.tif 000002
【特許請求の範囲】
【請求項１】
被取付面に取り付けた取付板に固着するための基板と、該基板に扁平空間を作るためのスペーサーを介して対設した透視窓を有する表板とからなる本体の適所に、該本体内に挿脱自在に挿入した表札を前記表板側へ押し付けるための押圧手段を設けたことを特徴とする室名表示装置。
【請求項２】
前記表札が、室名表示シートと該シートを挟み込む支持板とからなることを特徴とする請求項１に記載の室名表示装置。
【請求項３】
前記透視表板が、１枚の透明材により形成されていることを特徴とする請求項１又は２に記載の室名表示装置。
【請求項４】
前記押圧手段が、表札の挿脱方向に沿って基板に固定したバネ板であることを特徴とする請求項１〜３のうちの１に記載の室名表示装置。
【発明の詳細な説明】
【技術分野】
【０００１】
本発明は、室の入口の袖部などに格調高く固定的に取り付け、社名、事務所名、部署名などが交換表示できるようにした室名表示装置に関するものである。
【背景技術】
【０００２】
従来、この種の室名表示装置の一例として、特開２００２−３３３８４０、特開２００４−１３３３６３が開示されている。前者（特開２００２−３３３８４０）は、正面にガラス窓を有する表札本体と、開閉可能な裏蓋とからなり、裏蓋を開閉することにより氏名記入用紙を交換できるもので、氏名を変更したり削除及び加入が自由にできるように構成している。また、後者（特開２００４−１３３３６３）は二枚のアクリル板の間に写真やカードを挟み、四隅をねじ止めしてなるもので、四隅のねじを外せばカードに記載した室名を自由に交換できるように構成している。
【特許文献１】特開２００２−３３３８４０
【特許文献２】特開２００４−１３３３６３
【発明の開示】
【発明が解決しようとする課題】
【０００３】
しかしながら、上記室名表示装置は、いずれも絵画を収納する額縁の型式のものであって、室の入口の袖部などに打った釘などの係止具に吊り下げて使用するものであり、室の入口の袖部などに安定的に取り付けるものではなく、かけ替えが自由な反面、他人に室名表示装置ごと持ち去られる虞があった。また、室名を固定的に格調高く表示するようにすると、室名を自由に交換できなくなるという問題があった。
【０００４】
本発明は、上記のような問題点を解決するためのもので、その目的とするところは、室の入口の袖部などに室名を安定的に、格調高く表示でき、しかも入居者の変更に伴う表札の差し替えが簡易にできる室名表示装置を提供することにある。
【課題を解決するための手段】
【０００５】
上記目的を達成するため、本発明は、被取付面に取り付けた取付板に固着するための基板と、該基板に扁平空間を作るためのスペーサーを介して対設した透視窓を有する表板とからなる本体の適所に、該本体内に挿脱自在に挿入した表札を前記表板側へ押し付けるための押圧手段を設けたことを特徴とし、被取付面に格調高く固定的に、しかも表札内容を交換可能にして明瞭に表示できるように構成している。
【０００６】
また、請求項２に記載の発明は、前記表札が室名表示シートと該シートを挟み込む支持板とからなることを特徴とし、表札の交換性を高め得るように構成している。
【０００７】
さらに、請求項３に記載の発明は、前記表板が１枚の透明材により形成されていることを特徴とし、表板の構造を単純化できるように構成している。
【０００８】
さらにまた、請求項４に記載の発明は、前記押圧手段が表札の挿脱方向に沿って基板に固定したバネ板であることを特徴とし、前記表札の交換をスムーズになし得るように構成している。
【発明の効果】
【０００９】
本発明に係る室名表示装置は、被取付面に取り付けた取付板に固着するための基板と、該基板に扁平空間を作るためのスペーサーを介して対設した透視窓を有する表板とからなる本体の適所に、該本体内に挿脱自在に挿入した表札を前記表板側へ押し付けるための押圧手段を設けたことを特徴としているから、基板を被取付面に取り付けた取付板に固定することにより室の入口の袖部などに微妙に凹凸があっても、室名を格調高く安定的に設置でき、しかも入居者の変更或いは表示内容の変更等のための交換が簡易にできるとともに表板側へ常に押し付けられている表札はその表示内容を透視窓より明瞭に表示することができるなど各種の優れた効果を奏するものである。
【００１０】
また、請求項２に記載の発明に係る室名表示装置は、前記表札が室名表示シートと該シートを挟み込む支持板とからなることから、表札の表示内容を書き込むための紙等が脆弱であっても交換性を良好に保つことができるという優れた効果を奏するものである。
【００１１】
さらに、請求項３に記載の発明に係る室名表示装置は、前記表板が一枚の透明材により形成することにより表板の構造が単純化するとともに、透視窓部分を残して他の部分を着色して不透明にするか、スペーサーを着色するなどして自由なデザインにすることができるという優れた効果を奏するものである。
【００１２】
さらにまた、請求項４に記載の発明に係る室名表示装置は、前記押圧手段が表札の挿入方向に沿って基板に配置されたバネ板であるときは、表札の交換時にバネ板が邪魔になることがないし、表札はバネ板により表板に安定的に密接させることができるため、表示内容を明瞭に表示することができるという優れた効果を奏するものである。
【発明を実施するための最良の形態】
【００１３】
次に、本発明の実施の態様を添付図面に基づいて説明する。図１は本願装置の設置状態を示す正面図、図２は本願装置の第一例を示し、（ａ）はその拡大斜視図、（ｂ）は同縦断側面図、図３は本願装置の第二例を示し、（ａ）はその拡大斜視図、（ｂ）は同縦断側面図である。
【００１４】
本願装置１は、図１の如く、室の入口２の袖部（被取付面）３に、人名、社名、事務所名、部署名などの室名（表示内容）４を安定的に表示する。この本願装置１は、人Ｈの目の高さＴよりやや上位に設置されると外来者に確認され易いといえる。
【００１５】
前記本願装置１は、図２（ａ）の如く、基板５と、該基板５に対して、扁平空間を作るためのスペーサー６を介して対設した透視窓７ａを有する表板７とからなる本体８と、該本体８内に作られた空間９に挿脱可能に挿入した表札１０とで構成されている。この表札１０は表板７の透視窓７ａにより明瞭に表示させるために前記本体８内の適所に設けたバネ板等からなる押圧手段１１により背部より表板７側へ押し付けられている。
【００１６】
前記本体８を構成する基板５は、図２（ｂ）の如く、予め、前記袖部（被取付面）３にネジ等の取付手段１２を介して取り付けた取付板１３に接着剤等により固着して使用される。この取付板１３は、室の入口２の袖部３の表面が粗面であっても平滑な面にするために有効なものである。該取付板１３と前記基板との固着は、前述の如く、接着剤接着ばかりではなく、ネジ止め方式でも雄雌結合方式でもその他の結合方式（たとえばカシメ）でもよいことは勿論である。
【００１７】
前記表札１０は、室名表示シート１０ａと、該シート１０ａを挟み込む支持板１０ｂ、１０ｂ′とからなる。この支持板１０ｂ、１０ｂ′は透明材（たとえば、アクリル板等の透明性のよいプラスチック板）により構成されている。これはシート１０ａが紙等の脆弱なものであってもしっかり支持（カバー）できるようにするためのもので、必要な厚さの板状体で構成されている。勿論、支持板１０ｂ、１０ｂ′のうち、室名表示シート１０ａの裏面（室名表示面以外の面）の支持板１０ｂ′は、必ずしも透明材でなくなもよい。なお、前記透明材（アクリル板）は、デザイン上着色透明のものを選択してもよい。
【００１８】
前記表板７は、図２では中央部に穴をあけて透視窓７ａとし、周囲を額縁部位７ｂとしているが、図３では、一枚の透明材（たとえば、アクリル板）を用い、透視窓７ａに対応する部位を透明のまま残し、額縁部位７ｂを不透明材にて着色（点模様で示す）して構成するようにしてもよい。なお、スペーサー６の表面を着色し、その着色面を透視できるように構成してもよい。前述の如く、穴でない透視窓７ａを有する表板７を用いた場合には表札１０は、図３の如く室名表示シート１０ａと、そのバックを支持する支持板１０ｂ′の２層構造で足りる。
【００１９】
前記押圧手段１１は、表札１０の挿脱方向（図２では上下方向、図３では左右方向）に沿って基板５にバネ板を配置してなる。この場合、バネ板は挿入方向の手前側をビス１４で固定し、先端側を浮かせるようにする。なお、図示していないが、前記バネ板は、挿脱方向の一方をビス止めし、中間部をタイコ橋状に膨らませ、他方をスライド可能にビス止めするようにすることもある。
【産業上の利用可能性】
【００２０】
本願装置１は、室の入口の袖部などに室名を安定的、かつ、格調高く表示でき、しかも入居者の変更に伴う表札の差し替え交換が簡易にできるものであるとともに、工業的生産が可能なものである。なお、具体的には図示していないが、室の性質により入口２の周囲にポストやインターホンなどの設置もあることは勿論である。
【図面の簡単な説明】
【００２１】
【図１】本願装置の設置状態を示す正面図である。
【図２】本願装置の第一例を示し、（ａ）はその拡大斜視図、（ｂ）は同縦断側面図である。
【図３】本願装置の第二例を示し、（ａ）はその拡大斜視図、（ｂ）は同縦断側面図である。
【符号の説明】
【００２２】
１  本願装置
２  室の入口
３  袖部（被取付面）
４  室名
５  基板
６  スペーサ
７  表板
７ａ  透視窓
８  本体
９  扁平空間
１０  表札
１０ａ  室名表示シート
１０ｂ、１０ｂ  支持板
１１  押圧手段（バネ板）
１２  取付手段
１３  取付板
１４  ビス
【図１】
2006309085.tif 000003
【図２】
2006309085.tif 000004
【図３】
2006309085.tif 000005